(57)【要約】【目的】  走行時にテレビ放送の選局をした場合において映像が出力されなくても、スポーツ等の番組内容を十分に把握できるように音声出力する「車載用テレビシステム」を提供することである。【構成】  テレビ受信装置１４とラジオ受信装置１５を備え、車輌走行中はテレビ映像の出力を禁止する車載用テレビシステムにおいて、制御部１２はテレビ受信装置で選局したテレビ番組と同一番組のラジオ放送が存在し、かつ、車輌走行中であれば、ラジオ受信装置に該ラジオ放送番組を受信させ、テレビ音声に代えてラジオ音声を出力する。また、制御部は、同一番組のラジオ放送が存在しない場合、あるいは、車輌が停車中の場合には、テレビ音声を出力する。【選択図】        図１
2006165858.tif 000002
【特許請求の範囲】
【請求項１】
テレビ受信装置とラジオ受信装置を備え、車輌走行中はテレビ映像の出力を禁止する車載用テレビシステムにおいて、
車輌の走行状態を検出する走行状態検出部と、
テレビ受信音声とラジオ受信音声を切り換えて出力する音声切換部と、
選局したテレビ番組、あるいは選局受信中のテレビ番組と同一番組のラジオ放送が存在し、かつ、車輌走行中であれば、前記ラジオ受信装置により該ラジオ放送を受信させ、前記音声切換部を制御してラジオ音声を出力する制御部、
を備えたことを特徴とする車載用テレビシステム。
【請求項２】
外部の番組情報提供センターと通信する通信ユニットを備え、
前記制御部は該通信ユニットを介して前記センターに前記選局したテレビチャンネル番号を送信し、該センターより該テレビチャンネル番号の番組と同一番組の放送をしているラジオ放送局情報を受信したとき、車輌走行中であれば該ラジオ放送局から受信したラジオ音声を出力するよう制御する、
ことを特徴とする請求項1記載の車載用テレビシステム。
【請求項３】
ラジオ放送番組とテレビ放送番組との番組連携情報を作成して保持する手段を備え、
前記制御部は該番組連携情報を参照して選局したテレビ番組と同一番組のラジオ放送が存在するか調べ、存在する場合において、車輌走行中であれば、前記ラジオ受信装置により該ラジオ放送を受信させ、前記音声切換部を制御してラジオ音声を出力する、
ことを特徴とする請求項1記載の車載用テレビシステム。
【請求項４】
前記制御部は、同一番組のラジオ放送が存在しない場合、あるいは、車輌が停車中の場合には、前記音声切換部を制御してテレビ音声を出力する、
ことを特徴とする請求項1記載の車載用テレビシステム。
【請求項５】
前記番組はスポーツ番組であることを特徴とする請求項1記載の車載用テレビシステム。                                                                                
【発明の詳細な説明】
【技術分野】
【０００１】
本発明は車載用テレビシステムに係わり、特に、テレビ受信装置とラジオ受信装置を備え、車輌走行中はテレビ映像の出力を禁止する車載用テレビシステムに関する。
【背景技術】
【０００２】
車載のテレビ放送受信機は、ドライバーの運転の妨げにならないように、走行中は映像を表示しない仕組みになっている。このため、走行中に、野球やサッカー、相撲、競馬などのスポーツ番組をテレビ放送受信機で受信すると、映像は出ずテレビ音声だけが出力される。しかし、テレビ放送は、映像を見ることを前提に番組制作されているため、音声だけを聞いても番組の内容を十分に把握するのは難しい。特に、スポーツ番組のテレビ音声には省略があって細かい場面まで把握できず分かりにくい問題がある。
そこで、映像はテレビ映像を出力し、音声はラジオ音声を出力する従来技術がある(特許文献１参照)。また、走行時にスポーツ番組をラジオで受信しながらバックグラウンドで同一のスポーツ番組のテレビ番組を受信して所定容量のメモリに連続して重ね書きし、保存が指示された時のメモリ内容を保存し、該保存したテレビ映像を後で再生するようにした従来技術がある(特許文献２参照)。
【特許文献１】特開２００２−９４８９０号公報
【特許文献２】特開２００２−９４９３３号公報
【発明の開示】
【発明が解決しようとする課題】
【０００３】
第１従来技術は、ラジオ音声と共にテレビ映像を出力するものであるため、走行中の映像出力を禁止する車載用テレビシステムに適用できない。又、第２従来技術は走行時にユーザがラジオ放送の選局をした場合の制御方法であり、走行時にユーザがテレビ放送の選局をした場合に適用できない。
以上から本発明の目的は、走行時にユーザがテレビ放送の選局をした場合において映像が出力されなくても、ユーザがスポーツ等の番組内容を十分に把握できるように音声出力することである。
【課題を解決するための手段】
【０００４】
上記課題は本発明によれば、テレビ受信装置とラジオ受信装置を備え、車輌走行中はテレビ映像の出力を禁止する車載用テレビシステムにおいて、車輌の走行状態を検出する走行状態検出部と、テレビ受信音声とラジオ受信音声を切り換えて出力する音声切換部と、選局したテレビ番組、あるいは選局受信中のテレビ番組と同一番組のラジオ放送が存在し、かつ、車輌走行中であれば、前記ラジオ受信装置により該ラジオ放送を受信させ、前記音声切換部を制御してラジオ音声を出力する制御部を備えた車載用テレビシステムにより達成される。
上記車載用テレビシステムは、外部の番組情報提供センターと通信する通信ユニットを備え、前記制御部は該通信ユニットを介して前記センターに前記選局したテレビチャンネル番号を送信し、該センターより該テレビチャンネル番号の番組と同一番組の放送をしているラジオ放送局情報を受信したとき、車輌走行中であれば該ラジオ放送局から受信したラジオ音声を出力するよう制御する。また、前記制御部は、同一番組のラジオ放送が存在しない場合、あるいは、車輌が停車中の場合には、前記音声切換部を制御してテレビ音声を出力する。
上記車載用テレビシステムがラジオ放送番組とテレビ放送番組との番組連携情報を作成して保持する手段を備える場合には、前記制御部は該番組連携情報を参照して選局したテレビ番組と同一番組のラジオ放送が存在するか調べ、存在する場合において、車輌走行中であれば、前記ラジオ受信装置により該ラジオ放送を受信させ、前記音声切換部を制御してラジオ音声を出力する。
【発明の効果】
【０００５】
本発明によれば、選局したテレビ番組、あるいは選局受信中のテレビ番組と同一番組のラジオ放送が存在し、かつ、車輌走行中であれば、ラジオ受信装置に該ラジオ放送を受信させ、テレビ音声の代わりにラジオ音声を出力するように構成したから、走行時にユーザがテレビ放送の選局をした場合において映像が出力されなくても、ユーザはスポーツ番組等の内容を十分に把握することが可能となった。すなわち、テレビ放送の音声だけでは状況が分かりづらいところが、ラジオ音声を使用することで映像を見なくても番組、例えばスポーツ中継が堪能できる。また、停車して映像付きで見る際も自動でテレビ放送へ戻るため、いちいち切り替える煩わしさが無くなる。
【発明を実施するための最良の形態】
【０００６】
テレビ受信装置とラジオ受信装置を備え、車輌走行中はテレビ映像の出力を禁止する車載用テレビシステムにおいて、制御部はテレビ受信装置で選局したテレビ番組、あるいは選局受信中のテレビ番組と同一番組のラジオ放送が存在し、かつ、車輌走行中であれば、ラジオ受信装置に該ラジオ放送番組を受信させ、テレビ音声に代えてラジオ音声を出力する。
たとえば、制御部は通信ユニットを介して外部の番組情報提供センターに選局したテレビチャンネル番号を送信し、該センターより該テレビチャンネル番号の番組と同一番組の放送をしているラジオ放送局情報を受信し、かつ、車輌走行中であれば、該ラジオ放送局から受信したラジオ音声を出力するよう制御する。又、制御部は、同一番組のラジオ放送が存在しない場合、あるいは、車輌が停車中の場合にはテレビ音声を出力する。
【実施例１】
【０００７】
図1は第１実施例の車載用テレビシステムの構成図である。操作部１１はラジオ放送の選局操作やテレビ放送の選局操作等を行い、制御ユニット１２はラジオ放送局の選局操作があったとき該ラジオ放送局の選局制御を行ない、また、テレビ放送局(テレビチャンネル)の選局操作があったとき、後述するフローに従ってテレビ放送局の選局制御を行なう。走行状態検出部１３は車両の走行中、停止中を検出する。
テレビ放送受信機１４はテレビ放送局の選局操作があったとき制御ユニット１２の指示に従って該テレビ放送局に同調し、(1)車両停止中であればテレビ映像、テレビ音声の両方を出力し、(2)車両走行中であればテレビ音声のみ出力する。ラジオ放送受信機１５は、(1)ラジオ放送局の選局操作があったとき制御ユニット１２の指示に従って該ラジオ放送局に同調してラジオ音声を出力し、(2)走行中においてテレビ放送局の選局操作がされたとき、制御ユニット１２の制御で該テレビ放送局と同一の番組を放送しているラジオ放送局が存在すれば該ラジオ放送局に同調してラジオ音声を出力する。
【０００８】
音声切換部１６は制御ユニット１２の制御で、
(1) ラジオの選局操作でラジオ受信中はラジオ音声を出力し、
(2) テレビの選局操作でテレビ受信中において、停止中であれば、テレビ音声を出力し、
(3) テレビの選局操作でテレビ受信中において、走行中で、かつ、受信テレビ放送番組と同一の番組を放送しているラジオ放送局が存在しなければ、テレビ音声を出力し、
(4) テレビの選局操作でテレビ受信中において、走行中で、かつ、受信テレビ放送番組と同一の番組を放送しているラジオ放送局が存在すれば、ラジオ音声を出力する。
スピーカ１７は音声切換部１６から出力する音声信号を入力されてラジオ音声あるいはテレビ音声を車室内音響空間に出力し、ディスプレイ装置１８はテレビ映像を表示する。通信ユニット１９はインターネット通信機能を備え、制御ユニット１２からの指示に従って携帯電話機(図示せず)を介してインターネット網に接続し、外部サーバ(番組情報提供サーバ)２０から所定の情報を取得して制御ユニット１２に入力するようになっている。すなわち、通信ユニット１９は、制御ユニット１２からの指示に従って、ユーザが選局したテレビ放送局の放送番組と同一番組のラジオ放送をしているラジオ放送局を番組情報提供サーバ２０に問い合せ、問い合せ結果を該番組情報提供サーバ２１から受信して制御ユニット１２に入力する。番組情報提供サーバ２０は、通信ユニット２１と、全テレビ局およびラジオ局の番組データを記憶するデータべース２２、プロセッサ２３を備え、プロセッサ２３は、車載側から問い合せがあったテレビ放送局の放送番組と同一番組のラジオ放送をしているラジオ放送局が存在するかデータべース２２を参照して調べ、存在すれば該ラジオ放送局の局情報を、通信ユニット２１を介して車載の通信ユニット１９に送信する。なお、データべース２２は番組データとして、全テレビチャンネル(テレ放送局)及び全ラジオ放送局の少なくとも一日の番組表、各番組の種別、内容等を示す電子番組情報を備えている。
【０００９】
図２は、制御ユニット１２のテレビ選局時の処理フローである。
操作部１１を操作して所定のテレビチャンネルを選局すると(ステップ１０１)、制御ユニット１２は車両が走行中であるか、停止中であるか調べる(ステップ１０２)。車両停止中であれば、テレビ放送受信機１４は制御ユニット１２からの指示に従って、選局されたテレビ放送局に同調し、テレビ映像、テレビ音声の両方を出力し(ステップ１０３)、音声切換部１６は制御ユニット１２の制御によりテレビ音声を選択してスピーカ１７に入力する(ステップ１０４)。
一方、ステップ１０２において、車両走行中であればテレビ放送受信機１４は制御ユニット１２からの指示に従って、選局されたテレビ放送局に同調し、テレビ映像を出力せず、テレビ音声のみ出力する(ステップ１０５)。
【００１０】
また、通信ユニット１９は制御ユニット１２の指示に従って、ユーザが選局したテレビチャンネル（テレビ放送局）の放送番組と同一番組のラジオ放送をしているラジオ放送局を番組情報提供サーバ２０に問い合せ(ステップ１０６)、問い合せ結果を該番組情報提供サーバ２１から受信して制御ユニット１２に入力する(ステップ１０７)。制御ユニット１２は、入力した問い合せ結果に基づいて、選局したテレビチャンネルの放送番組と同一番組のラジオ放送をしているラジオ放送局が存在するか調べ(ステップ１０８)、存在しなければ、音声切換部１６にテレビ音声を選択するよう指示し、これにより音声切換部１６はテレビ音声を選択してスピーカ１７に入力する(ステップ１０４)。
一方、選局したテレビチャンネルの放送番組と同一番組のラジオ放送をしているラジオ放送局が存在すれば、制御ユニット１２はラジオ放送受信機１５に該ラジオ放送局に同調してラジオ音声を出力するよう指示すると共に、音声切換部１６にラジオ音声を選択するよう指示する。この結果、ラジオ放送受信機１５はテレビチャンネルの放送番組と同一番組の放送をしているラジオ放送局に同調し、ラジオ音声を出力し(ステップ１０９)、音声切換部１６はラジオ音声を選択してスピーカ１７に入力する(ステップ１１０)。
【００１１】
図３は番組情報提供サーバの処理フローである、
番組情報提供サーバ２０のプロセッサ２３は、テレビチャンネル（テレビ放送局）の放送番組と同一番組のラジオ放送をしているラジオ放送局についての問い合せが車載側からあったか監視し(ステップ２０１)、問い合せがあれば、該問い合せがあったテレビ放送局の放送番組と同一番組のラジオ放送をしているラジオ放送局が存在するかデータべース２２を参照して調べ(ステップ２０２)、存在すれば該ラジオ放送局の局情報を通知するメッセージを作成し(ステップ２０３)、存在しなければ該当ラジオ放送局が存在しない旨のメッセージを作成し(ステップ２０４)、該メッセージを車載側の通信ユニット１９に送信する(ステップ２０５)。
【００１２】
以上では番組の種別に関係なく、テレビ受信装置で選局した番組と同一番組のラジオ放送が存在し、かつ、車輌走行中であれば、テレビ音声に代えて該番組のラジオ音声を出力するようにしたが、番組の種別をスポーツ番組に限定することができる。すなわち、テレビ受信装置で選局したスポーツ番組と同一番組のラジオ放送が存在し、かつ、車輌走行中の場合のみ、テレビ音声に代えて該スポーツ番組のラジオ音声を出力するように構成することもできる。具体的に、以下のような制御を行なう。
ユーザーが操作部１１を操作して所定テレビチャンネル(テレビ放送局)の番組を選べば、制御ユニット１２は該選局したテレビチャンネル番号を、通信ユニット１９を介して外部の番組情報提供サーバ２０に送信する。番組情報提供サーバ２０のプロセッサ２３はデータべース(電子番組情報)を参照してそのテレビチャンネルの番組がスポーツ中継であるかどうかを判別する。スポーツ番組であれば、さらにデータべースを参照してラジオにて同スポーツ番組が放送されているかどうかを検索し、検索結果を車載側の通信ユニット１９に送信する。制御ユニット１２は図２のステップ１０８以降と同様の処理を行ない、選局したテレビチャンネルのスポーツ番組と同一番組のラジオ放送をしているラジオ放送局が存在しなければテレビ音声を出力し、存在し、かつ走行中であれば該スポーツ番組のラジオ音声を出力する。
【００１３】
また、以上ではテレビ選局した際の制御を説明したが、停車中にテレビ受信しながら走行を開始した場合やテレビ受信しながら走行中(テレビ映像は出力されていない)に停車した場合にも同様に図２の処理フローを適用することができる。たとえば、停車中の場合、ディスプレイ装置１８にはテレビ映像が表示され、スピーカー１７からテレビ音声が出力されているが、走行はじめた場合、制御ユニット１２は図２の処理フローにしたがってディスプレイ装置に表示されている映像を消し、同時にスピーカーからの音声をテレビ音声のままにし(同一ラジオ番組が無い場合)、あるいはラジオ音声に切り替えて出力する（同一ラジオ番組がある場合）。また、停車した場合も制御ユニット１２は図２の処理フローにしたがってディスプレイ装置１８にテレビの映像を表示し、音声もテレビ音声に切り替える。
以上、第１実施例によれば、テレビ受信装置で選局したテレビ番組と同一番組のラジオ放送が存在し、かつ、車輌走行中であれば、ラジオ受信装置に該ラジオ放送番組を受信させ、テレビ音声に代えてラジオ音声を出力できる。この結果、テレビ放送の音声だけでは状況が分かりづらいところが、ラジオ音声を使用することで映像を見なくても番組、例えばスポーツ中継が堪能できる。また、停車して映像付きで見る際も自動でテレビ放送へ戻るため、いちいち切り替える煩わしさが無くなる。
【実施例２】
【００１４】
図４は第２実施例の車載用テレビシステムの構成図であり、図１の第１実施例と同一部分には同一符号を付している。異なる点は、番組連携情報作成部３１、番組連携情報保存部３２を設け、通信ユニット１９、番組情報提供サーバ２０を削除した点である。第１実施例において、制御ユニット１２は、番組情報提供サーバ２０よりテレビチャンネル放送番組と同一番組の放送をしているラジオ放送局の局情報を取得したが、第２実施例では番組連携情報保存部３２より該ラジオ放送局の局情報を取得する。
ディジタルテレビ放送では、受信信号に各チャンネルのMPEGビデオデータ／MPEGオーディオデータに加えて番組配列情報が含まれているから、該番組配列情報をデコードして全テレビチャンネルの一日の番組情報を取得できる。一方、ディジタルラジオ放送信号にも各チャンネルの番組情報が含まれているから、全ラジオチャンネルの番組情報を取得できる。
以上から、番組連携情報作成部３１は、テレビ、ラジオの番組情報を取得し、テレビ番組とラジオ番組のうち同一番組の組合わせを求め、該組み合わせを番組連携情報として作成して番組連携情報保存部３２に保存する。
【００１５】
図５は、番組連携情報保存部３２に番組連携情報が保存されている場合における制御ユニット１２のテレビ選局時の処理フローである。
操作部１１を操作して所定のテレビチャンネルを選局すると(ステップ３０１)、制御ユニット１２は車両が走行中であるか、停止中であるか調べる(ステップ３０２)。車両停止中であれば、テレビ放送受信機１４は制御ユニット１２からの指示に従って、選局されたテレビ放送局に同調し、テレビ映像、テレビ音声の両方を出力し(ステップ３０３)、音声切換部１６は制御ユニット１２の制御によりテレビ音声を選択してスピーカ１７に入力する(ステップ３０４)。
一方、ステップ３０２において、車両走行中であればテレビ放送受信機１４は制御ユニット１２からの指示に従って、選局されたテレビ放送局に同調し、テレビ映像を出力せず、テレビ音声のみ出力する(ステップ３０５)。
【００１６】
ついで、制御ユニット１２は、テレビ信号に含まれる番組配列情報を参照して選局されたテレビチャンネルの放送番組がスポーツ番組であるかチェックし(ステップ３０６)、スポーツ番組でなければ、音声切換部１６にテレビ音声を選択するよう指示し、これにより音声切換部１６はテレビ音声を選択してスピーカ１７に入力する(ステップ３０４)。一方、スポーツ番組であれば制御ユニット１２は番組連携情報保存部３２の番組連携情報を参照して選局したテレビチャンネル（テレビ放送局）の放送番組と同一番組のラジオ放送をしているラジオ放送局が存在するか調べ(ステップ３０７)、存在しなければ、音声切換部１６にテレビ音声を選択するよう指示し、これにより音声切換部１６はテレビ音声を選択してスピーカ１７に入力する(ステップ３０４)。
一方、選局したテレビチャンネルの放送番組と同一番組のラジオ放送をしているラジオ放送局が存在すれば、制御ユニット１２はラジオ放送受信機１５に該ラジオ放送局に同調してラジオ音声を出力するよう指示すると共に、音声切換部１６にラジオ音声を選択するよう指示する。この結果、ラジオ放送受信機１５はテレビチャンネルの放送番組と同一番組の放送をしているラジオ放送局に同調し、ラジオ音声を出力し(ステップ３０８)、音声切換部１６はラジオ音声を選択してスピーカ１７に入力する(ステップ３０９)。
以上の第２実施例では、スポーツ番組に限定したが、スポーツ番組に限定する必要はなく、かかる場合には、ステップ３０６の処理が不用になる。
以上、第２実施例によれば、テレビ受信装置で選局した番組、例えば、スポーツ番組と同一スポーツ番組のラジオ放送が存在し、かつ、車輌走行中であれば、ラジオ受信装置に該スポーツ番組を受信させ、テレビ音声に代えてラジオ音声を出力することができる。
【図面の簡単な説明】
【００１７】
【図１】第１実施例の車載用テレビシステムの構成図である。
【図２】第１実施例のテレビ選局時の処理フローである。
【図３】番組情報提供サーバの処理フローである。
【図４】第２実施例の車載用テレビシステムの構成図である。
【図５】第２実施例のテレビ選局時の処理フローである。
【符号の説明】
【００１８】
１１  操作部
１２  制御ユニット
１３  走行状態検出部
１４  テレビ放送受信機
１５  ラジオ放送受信機
１６  音声切換部
１７  スピーカ
１８  ディスプレイ装置
１９  通信ユニット
２０  外部サーバ(番組情報提供サーバ)
【図１】
2006165858.tif 000003
【図２】
2006165858.tif 000004
【図３】
2006165858.tif 000005
【図４】
2006165858.tif 000006
【図５】
2006165858.tif 000007